(57)【要約】【課題】他の記録媒体への高速記録時に、ショックプルーフメモリのデータ蓄積量をＦＵＬＬ状態にしないように制御することでディスクからの読み出し一時停止を避け、常にトラッキングサーボが働いた状態として、連続加振等に対する耐震性を高め、音切れや音飛びを防止したディスク記録再生装置を提供する。【解決手段】再生駆動制御装置１８ａは、高速再生中にショックプルーフメモリ１１のデータ信号蓄積量が所定の第１の一定量を越えると、出力ピッチ可変器１２によりショックプルーフメモリ１１から出力するデータ信号速度を、入力されるデータ信号速度よりも早い第１の高速速度に設定し、ショックプルーフメモリ１１のデータ信号蓄積量が所定の第２の一定量未満になると、出力ピッチ可変器１２によりショックプルーフメモリ１１から出力するデータ信号速度を入力されるデータ信号速度よりも遅い第２の高速速度に設定する。【選択図】  図１
2004280894.tif 000002
【特許請求の範囲】
【請求項１】
再生手段と、記録手段とからなり、
前記再生手段は、
データが記録されたディスクを標準速度を越える高速で回転駆動可能なスピンドルモータと、
光ビームの焦点を前記ディスクの記録面に合わせて信号を読みとる光ピックアップと、
前記光ピックアップのフォーカス制御及びトラッキング制御を行うサーボ制御手段と、
前記ディスクの内周から外周にかけて前記ディスクから再生された同期信号と基準クロックとを比較しながら前記ディスクを回転制御して再生する再生駆動制御手段と、
前記ディスクから再生した信号をデコードしデータ信号および時間情報であるアドレス信号を復調すると共に再生信号のエラー状態を検出する信号処理手段と、
前記信号処理手段で復調されたデータ信号を読み込むと共に異なる速度で出力するメモリ手段と、
前記メモリ手段から出力されるデータ信号の速度を切り換える出力ピッチ切り換え手段とを備え、
高速録音時に前記再生手段においてディスクを高速で回転させ、高速なデータ信号を前記メモリ手段に書き込むと共に前記メモリ手段から高速でデータ信号を読み出し前記記録手段の記録媒体に記録するディスク記録再生装置であって、
前記再生手段において前記再生駆動制御手段は、高速記録中に前記メモリ手段のデータ信号蓄積量が所定の第１の一定量を越えると、前記出力ピッチ切り換え手段により前記メモリ手段から出力するデータ信号速度を前記メモリ手段に入力されるデータ信号速度よりも早い第１の高速速度に設定し、前記メモリ手段のデータ信号蓄積量が所定の第１の一定量より少ない所定の第２の一定量未満になると、前記出力ピッチ切り換え手段により前記メモリ手段から出力するデータ信号速度をメモリ手段に入力されるデータ信号速度よりも遅い第２の高速速度に設定するように構成したことを特徴とするディスク記録再生装置。
【請求項２】
前記メモリ手段のデータ信号蓄積量の所定の第１の一定量と所定の第２の一定量とを同じ値としたことを特徴とする請求項１記載のディスク記録再生装置。
【請求項３】
前記メモリ手段から出力するデータ信号速度の変化を吸収する第２のメモリ手段を前記再生手段または前記記録手段に備えたことを特徴とする請求項１または２記載のディスク記録再生装置。
【発明の詳細な説明】
【０００１】
【発明の属する技術分野】
本発明は、コンパクトディスク（以下ＣＤ）、ミニディスク（以下ＭＤ）などの、データが書き込まれた光ディスクや光磁気ディスクをディスク再生手段で高速で再生しながら、再生出力のデジタルデータを、記録手段によって、たとえばミニディスクのような記憶媒体に高速記録するディスク記録再生装置であって、ディスク再生手段にショックプルーフ機能を有し振動等に強いディスク記録再生装置に関するものである。
【０００２】
【従来の技術】
近年、同心円状又はスパイラル状のトラックを有するディスクを再生するディスク再生（記録再生）装置が多く用いられている。このディスク記録再生装置では、ディスクをスピンドルモータで線速度一定又は角速度一定で回転させながら、ディスク上のトラックに沿ってレーザービームを照射し、データの再生を行っている。
【０００３】
ところが、外部振動等の衝撃を受けると、ディスクに記録されている信号を読みとるために光ピックアップの光ビームを信号トラック上に正しく追従させるトラッキングサーボ制御を行うことが出来ない状態になり、再生音が途切れるという課題があり、この課題を解決するためショックプルーフメモリを利用するものが種々提案されている。例えば、ＣＤを通常速度の２倍で回転するように制御を行うとともに、ＣＤの記録データを光ピックアップにより２倍の速度で間欠的に読取りショックプルーフメモリに書き込み、このメモリへの書き込みに並行して、前記メモリから通常速度でデータを読み出して再生を行い、この時、振動によりトラックジャンプが発生した時には、前記メモリからのデータ読み出しは継続し、データの読み出しの継続中に、光ピックアップをジャンプ以前の位置に戻す（アクセスする）ようにし、前記位置に戻った後は、再びディスクに記録されているデータを２倍速で読みとって前記メモリに書き込むようにして、再生音が途切れないようにする手段が提案されている（例えば、特許文献１及び２参照）。
【０００４】
近年、更にこのようなディスク記録再生装置を用いて、音楽ソースを高速で再生し、デジタルデータのまま他の記録再生装置の記録媒体に記録する（例えばＣＤからＭＤへ高速記録する等）ことが許され、高速記録機能を有するディスク記録再生装置が開発されている。
【０００５】
一例として、図４に従来のディスク記録再生装置のディスク再生手段のブロック図を、図５に従来のディスク記録再生装置の全体のブロック図を示す。
【０００６】
図４のディスク記録再生装置のディスク再生手段に示すディスク１の表面には螺旋状に形成された記録トラック上にオーディオ情報及びサブコード情報としてアドレス情報（ディスクの内周から外周にかけての絶対時間情報）が物理的に記録されている。ディスク１はターンテーブル２の上に載置され、クランパ３により上から保持されている。ターンテーブル２はスピンドルモータ４の回転軸５に接続されスピンドルモータ４により回転される。光ピックアップ６は、トラバースモータ７によって、スライダ８上をディスク１の半径方向に駆動されて、ディスク１の記録トラックを走査して、再生信号Ｓｐｕを生成する。
【０００７】
サーボ制御装置９は光ピックアップ６の出力及び再生駆動制御装置１８ｂに接続されて、再生信号Ｓｐｕを増幅して再生信号ＳＰＵとして出力すると共に、光ピックアップ６の光ビームをディスク１の信号面に合焦させるフォーカッシングサーボ制御動作、並びに光ビームをディスク１の信号面の記録トラックに追従させるトラッキングサーボ制御動作を行うと共にトラバース送りを行うトラバース追従誤差信号を出力する。
【０００８】
デコーダ１０は、サーボ制御装置９から出力される再生信号ＳＰＵからデータ再生用クロック信号を生成し、そのデータ再生用クロック信号を元にして、再生信号ＳＰＵに様々な信号処理を施し、デジタルのオーディオデータ信号としてショックプルーフメモリ１１に出力すると共に、再生信号ＳＰＵに含まれるサブコード情報を抽出してサブコード情報信号を生成する。サブコード情報の中にはディスクのアドレス情報が含まれており、そのアドレス情報を元に再生を行う。更に、デコーダ１０は再生信号ＳＰＵを元にトラックジャンプやフォーカス外れのエラー検出も行う。
【０００９】
再生駆動制御手段である再生駆動制御装置１８ｂは、デコーダ１０に接続されて、デコーダ１０から得られるサブコード情報に基づいて、サーボ制御装置９を制御して光ピックアップ６のトラバース移動、つまりディスク１の半径方向への移動を指示するトラバース送りや、光ピックアップ６を目標位置にアクセスさせる制御信号を生成する。更に、ショックプルーフメモリ１１のデータ蓄積量監視、並びにデコーダ１０が検出したエラー信号を元に、ショックプルーフメモリ１１への入力データ信号の一時停止やエラーが起こった位置の直前の位置に光ピックアップ６をアクセスさせる制御信号の生成も行う。
【００１０】
トラバースモータドライバ１７は、サーボ制御装置９に接続されて、それから得られるトラバース追従誤差信号に基づいてトラバースモータ駆動信号を生成する。トラバースモータ７は、トラバースモータドライバ１７に接続されて、光ピックアップ６をトラバース方向に移動させる。
【００１１】
ディスク１にはフレームと呼ばれる１ブロックにデータ列がまとめられて記録されており、そのフレーム先頭にフレーム同期信号と呼ばれるパターンが一定間隔で連続して記録されている。
【００１２】
同期信号検出器１３は再生時、デコーダ１０内部でディスク１から読みとられた再生信号の中から、ディスクを一定の線速度で回転させるＣＬＶ制御に必要なフレーム同期信号成分を出力する。
【００１３】
基準クロック発生器１４は、所定の周波数を有し、ディスクの線速度を決める基準クロック信号を出力する。再生信号ＳＰＵから抽出されたフレーム同期信号と、予め設定された基準クロック信号は、共にＣＬＶ誤差検出器１５に入力される。ＣＬＶ誤差検出器１５は、この二つのクロック信号の周波数を比較して、各クロックの差分をもとめて、ＣＬＶ誤差信号を出力する。スピンドルモータドライバ１６は、ＣＬＶ誤差検出器１５の出力に接続されて、ＣＬＶ誤差信号に基づいて、スピンドルモータ４を駆動するスピンドルモータ駆動信号を生成する。スピンドルモータ４は、スピンドルモータドライバ１６に接続されて、スピンドルモータ駆動信号によって駆動制御されてディスク１を所定の線速度一定になるよう回転させる。例えばディスクの線速度、すなわちディスクからの再生データ速度を早くするためには、前記基準クロック発生器の周波数を上げれば良いことになる。
【００１４】
ところで、ディスク１の再生時、ディスク記録再生装置に大きな振動や衝撃が加わった場合にディスク再生手段でトラックジャンプやフォーカス外れが生じるため、音切れや音飛びを起こすことになる。このような音切れや音飛びはショックプルーフメモリ１１を備えることで防止する事が出来る。一般に、ショックプルーフメモリ１１に書き込むデータ信号速度は、ショックプルーフメモリ１１から読み出すデータ信号速度よりも早く設定されているため、ショックプルーフメモリ１１には常にデータが蓄積されるようになっており、大きな振動等によって一時的にディスク１からのデータの読み取りが行えない場合であっても、ショックプルーフメモリ１１からは一定速度でデータの読み出しが行えるようになっている。ショックプルーフメモリ１１からの出力データは一定速度で出力インターフェイス２０に出力され、出力インターフェイス内部で記録手段であるＭＤ記録再生装置２３に適した信号に形成され出力端子２１からデータを出力する。以上の出力端子２１までの説明がディスク再生手段としてのＣＤ再生装置２２ｂの動作である。
【００１５】
図５において、記録手段としては一般的に記録媒体がＭＤであるＭＤ記録再生装置２３が用いられており、図４の出力端子２１から出力されるデータを一時的にＭＤ記録再生装置２３内部のメモリに蓄積しながら間欠的に記録を行い、記録媒体に記録が行われることになる。
【００１６】
さらに、ディスク記録再生装置の全体の動作を制御する主制御装置１９が設けられている。主制御装置１９は以下に説明する操作パネル２４による操作情報を入力すると、ＣＤ再生装置２２ｂやＭＤ記録再生装置２３や信号選択器２５や増幅器２７を制御し、ＣＤ再生装置２２ｂとＭＤ記録再生装置２３の状態を操作パネル２４に送り、状態を表示させるように制御する。
【００１７】
操作パネル２４は、各種処理の実行をユーザが指定するキーを有すると共に、キー操作に従う情報を表示したり、ＣＤ再生装置２２ｂ又はＭＤ記録再生装置２３の状態である曲番及び演奏時間等を表示する。
【００１８】
信号選択器２５は定速での再生時、ＣＤ再生装置２２ｂ側の再生信号又はＭＤ記録再生装置２３側の再生デジタル信号のどちらかを選択し、Ｄ／Ａ変換器２６に出力する。Ｄ／Ａ変換器２６は、入力されたデジタル信号をアナログ信号に変換し、増幅器２７に出力する。増幅器２７は入力されたアナログ信号を増幅又は減衰させ、スピーカ２８から再生音を出力する。高速記録時には、再生音を出力させないように増幅器２７でアナログ信号をミュートする。
【００１９】
図６に従来のディスク記録再生装置における高速記録時のディスク再生手段のショックプルーフメモリのデータ蓄積量のイメージ図を示す。横軸は記録経過時間であり縦軸はショックプルーフメモリのデータ蓄積量である。
【００２０】
このように構成されたディスク記録再生装置のディスク再生手段側のディスクの高速再生時の動作を説明する。以下の説明では定速時の再生速度をＶとし、ショックプルーフメモリへの入力データ速度を５倍速（５Ｖ）、ショックプルーフメモリからの出力データ速度を４倍速（４Ｖ）とする。
【００２１】
まず、操作パネル２４の操作によって高速記録を開始するが、周知の通り、光ピックアップ６より照射される光ビームをディスク１の信号面に合焦させるフォーカッシング制御動作を行いながら、スピンドルモータ４を回転させ、ディスク１の回転速度が目標回転速度になると、ディスク１に記録されている記録トラックに光ビームを追従させるトラッキング制御動作を行い、ディスク１からの信号読み出し動作が開始される。光ピックアップ６はディスク１の信号を読み取り、デコーダ１０内で生成された再生データの内、ＣＬＶ制御に必要なフレーム同期信号を同期信号検出器１３で抽出し、ＣＬＶ誤差検出器１５で基準クロック信号の周波数と比較を行い、周波数差が無くなるようにスピンドルモータ４を回転させることにより、ディスクの線速度（ここでは５倍速）を一定に制御して時刻Ｔ１０から高速記録を開始する。
【００２２】
デコーダ１０で復調されたオーディオデータ信号は一定速度５Ｖでショックプルーフメモリ１１に入力されると共に、ショックプルーフメモリからは入力より遅い一定速度４Ｖでオーディオデータ信号を出力するためショックプルーフメモリ１１に蓄積されるデータ蓄積速度は、
データ蓄積速度＝データ入力速度−データ出力速度・・・（１）
で表されるので、式（１）より５Ｖ−４Ｖ＝Ｖの速度で徐々に増加し、時刻Ｔ１１でデータ蓄積量がショックプルーフメモリ１１のメモリ容量の上限であるＦＵＬＬ状態（Ａ１）になる。
【００２３】
データ蓄積量が上限に達すると再生駆動制御装置１８ｂの指令でショックプルーフメモリ１１のデータ蓄積を一時中断し、再生駆動制御装置はサーボ制御装置９を制御してディスク１からのデータ読みとりを一時中断させる。ディスク１からのデータ読み取り中断中もショックプルーフメモリ１１からは４Ｖの速度でデータ信号を出力するので、データ蓄積速度は−４Ｖの速度で急速に減少する事になる。
【００２４】
時刻Ｔ１２において、ショックプルーフメモリ１１から所定量のデータが読みとられて、データ蓄積量が所定の一定値（Ａ５）まで減少したことを再生駆動制御装置１８ｂが検出すると、再生駆動制御装置１８ｂは再びサーボ制御装置９を制御して、光ピックアップ６を一時読み取り中断した直前の位置にアクセスさせ、アクセス終了後再び一定速度５Ｖでショックプルーフメモリ１１へのデータ入力を開始する。
【００２５】
アクセス終了後再びショックプル−フメモリ１１には、データ蓄積速度５Ｖ−４Ｖ＝Ｖの速度で徐々に蓄積量が増加し、以降高速記録中のディスク再生手段にエラーが生じなければ上記動作を繰り返すことになる。
【００２６】
次に時刻Ｔ１３において、ディスク再生装置に振動等のショックによってトラックジャンプやフォーカス外れが起こりディスク１からデータが読み込めなくなると、デコーダ１０は再生信号ＳＰＵを元にエラーを検出する。再生駆動制御装置１８ｂは、デコーダからのエラー検出通知を受けショックプルーフメモリ１１へのデータ信号の入力を中断すると共に、サーボ制御装置９を制御することで光ピックアップ６をエラー状態が起こった直前の位置にアクセスさせる。この間はショックプルーフメモリ１１への入力データ信号が中断されるため、データ蓄積速度は−４Ｖの速度で急速に減少する事になる。
【００２７】
時刻Ｔ１４においてアクセス終了後光ピックアップ６から正常なデータ信号を読み込めるようになると、再生駆動制御装置１８ｂはデコーダ９のエラー検出状態を解除し、エラー状態の起こった位置の信号からショックプル−フメモリ１１へのデータ信号入力を再開させる。データ入力を再開する事によりショックプルーフメモリのデータ蓄積量はＶの速度で増加する。
【００２８】
以上の動作により、ショックプルーフメモリ１１のデータがＦＵＬＬ状態になった場合又は振動によってエラー状態が発生した場合においても、ショックプルーフメモリ１１からの出力データ信号は途切れることなく高速再生と高速記録を継続させることが出来る。
【００２９】
【特許文献１】
特開平５−２３４３４７号公報
【特許文献２】
特開平６−８４２８２号公報
【００３０】
【発明が解決しようとする課題】
このような、ディスクからの高速データ読み取りと、ショックプルーフメモリへのデータ書き込みとを蓄積されたデータ量に応じて断続して行う従来のディスク再生手段においては、ショックプルーフメモリのデータ蓄積量がメモリＦＵＬＬ状態になってディスクからの高速データ読み取りを停止し、データ蓄積量が所定の量まで減った後ディスクからの高速データ読み取りを再開するが、その際に、データ読み取りを中断したときのアドレス位置に光ピックアップを合わせるアクセス動作が必要になる。このアクセス動作を行うときには、トラッキングサーボを解除して行うため耐震性が著しく劣化し、アクセス動作中に連続した振動が加わるとトラッキング方向の位置が定まらず、アクセスに時間がかかる場合が生じる。その為、ディスクからのデータ読み取りを再開する前にショックプルーフメモリの蓄積データが無くなりバッファーアンダーランエラーを起こし、音の欠落や音飛びが発生した状態が記録手段の記録媒体に記録されるこになる。高速化すればするほど前記症状は顕著に現れてくる。
【００３１】
本発明は、上記課題を解決するために、高速記録時に、ディスク再生手段側のメモリ手段のデータ蓄積量をＦＵＬＬ状態にしないように制御することで、常にトラッキングサーボが働いた状態にし、音の欠落のない高速録音を可能にしたディスク再生装置を提供することを目的としてなされたものである。
【００３２】
【課題を解決するための手段】
この課題を解決するために本発明のディスク記録再生装置は、基本の構成として、再生手段と記録手段とからなり、前記再生手段は、データが記録されたディスクを標準速度を越える高速で回転駆動可能なスピンドルモータと、光ビームの焦点を前記ディスクの記録面に合わせて信号を読みとる光ピックアップと、前記光ピックアップのフォーカス制御及びトラッキング制御を行うサーボ制御手段と、前記ディスクの内周から外周にかけてディスクから再生された同期信号と基準クロックとを比較しながら前記ディスクを回転制御して再生する再生駆動制御手段と、前記ディスクから再生した信号をデコードしデータ信号および時間情報であるアドレス信号を復調すると共に再生信号のエラー状態を検出する信号処理手段と、前記信号処理手段で復調されたデータ信号を読み込むと共に異なる速度で出力するメモリ手段と、前記メモリ手段から出力されるデータ信号の速度を切り換える出力ピッチ切り換え手段とを備え、高速録音時に前記再生手段においてディスクを高速で回転させ、高速なデータ信号を前記メモリ手段に書き込むと共に前記メモリ手段から高速でデータ信号を読み出し前記記録手段の記録媒体に記録するディスク記録再生装置であって、前記再生手段において前記再生駆動制御手段は、高速記録中に前記メモリ手段のデータ信号蓄積量が所定の第１の一定量を越えると、前記出力ピッチ切り換え手段により前記メモリ手段から出力するデータ信号速度を前記メモリ手段に入力されるデータ信号速度よりも早い第１の高速速度に設定し、前記メモリ手段のデータ信号蓄積量が所定の第１の一定量より少ない所定の第２の一定量未満になると、前記出力ピッチ切り換え手段により前記メモリ手段から出力するデータ信号速度をメモリ手段に入力されるデータ信号速度よりも遅い第２の高速速度に設定するように構成したものである。
【００３３】
この構成により、高速記録時に、メモリ蓄積量が常に第１の所定量と第２の所定量の間にあるようメモリ手段からの出力データ信号速度を変更することにより、震動が加わってトラックジャンプが生じない限りは、従来例のように間欠的にメモリＦＵＬＬになった後所定のアドレスにアクセスさせる必要がなく、常時ディスクからのデータ読み出しを継続し、常にトラッキングサーボが働いた状態に出来るように作用する。
【００３４】
上記の構成おいて、前記メモリ手段のデータ信号蓄積量の所定の第１の一定量と所定の第２の一定量とを同じ値とした構成とすることもできる。
【００３５】
この構成により、高速記録時にメモリ手段のメモリ蓄積量をほぼ一定の値に維持できるので、所定の一定量をメモリの上限近くに設定すれば、振動等のエラーが発生してエラー発生前の位置にアクセスする場合、アクセス終了時のメモリ手段のデータ蓄積量を多くすることが出来るように作用する。
【００３６】
また、上記各構成において、前記メモリ手段から出力するデータ信号速度の変化を吸収する第２のメモリ手段を前記再生手段または前記記録手段に備えた構成とすることが出来、この構成により記録手段がディスク記録である場合、第１のメモリ手段から出力するデータ信号速度の変化にかかわらず記録側のディスクを一定速で駆動することが出来るように作用する。
【００３７】
【発明の実施の形態】
（実施の形態１）
以下本発明の請求項１記載の発明の実施の形態について、図１と図２を用いて説明する。なお、既に図４、図５を参照して説明した従来のディスク記録再生装置と共通の部分に関しては同一の符号を附して示すと共に、詳細な説明を省く。
【００３８】
図１は本発明の実施の形態１におけるディスク記録再生装置のディスク再生手段のブロック図を、図２は同じくディスク記録再生装置における高速記録時のディスク再生手段のショックプルーフメモリのデータ蓄積量のイメージ図を示す。
【００３９】
図２において横軸は記録経過時間であり縦軸はショックプルーフメモリのデータ蓄積量である。ディスク記録再生装置の全体のブロック図は従来のディスク記録再生装置の全体のブロック図５と同じであり、ただ再生手段としてのＣＤ再生装置の符号を２２あと書き換えるだけなので省略する。
【００４０】
図１のディスク記録再生装置におけるディスク１、ターンテーブル２、クランパ３、スピンドルモータ４、回転軸５、光ピックアップ６、トラバースモータ７、スライダ８、サーボ制御装置９、デコーダ１０、ショックプルーフメモリ１１、同期信号検出器１３、基準クロック発生器１４，ＣＬＶ誤差検出器１５、スピンドルモータドライバ１６、トラバースモータドライバ１７、主制御装置１９、出力インターフェイス２０、および出力端子２１等は図４に示した従来のディスク記録再生装置と同様である。
【００４１】
ただし本実施形態においてディスク再生手段としてのＣＤ再生装置２２ａ内部の再生駆動制御手段である再生駆動制御装置１８ａの動作が以下に述べるように従来の例における再生駆動制御装置１８ｂとは異なっていることと、ショックプルーフメモリ１１からの出力されるデータの速度を切り換える出力ピッチ切り換え手段である出力ピッチ可変器１２を加えたことが従来のディスク記録再生装置と異なっている。
【００４２】
以上のように構成された本実施形態のディスク記録再生装置について、コンパクトディスク（ＣＤ）からミニディスク（ＭＤ）への高速記録時の動作を例に説明する。又、以下の説明ではディスク再生手段の定速時の再生速度をＶとし、高速記録時のショックプルーフメモリ１１への入力データ速度を５倍速（５Ｖ）、ショックプルーフメモリ１１から出力するデータ速度として第１の高速速度を６倍速（６Ｖ）、第２の高速速度を４倍速（４Ｖ）とする。
【００４３】
ここで、ディスクを５倍速で再生させるために、基準クロック発生器１４からの出力クロック周波数を、定速時の５倍の周波数で出力する。再生信号ＳＰＵから抽出されたフレーム同期信号と、予め設定された基準クロック信号とは、共にＣＬＶ誤差検出器１５に入力される。ＣＬＶ誤差検出器１５は、この二つのクロック信号の周波数を比較して、各クロックの差分をもとめて、ＣＬＶ誤差信号を出力する。スピンドルモータドライバ１６は、ＣＬＶ誤差検出器１５の出力に接続されて、ＣＬＶ誤差信号に基づいて、スピンドルモータ４を駆動するスピンドルモータ駆動信号を生成する。スピンドルモータ４は、スピンドルモータドライバ１６に接続されて、スピンドルモータ駆動信号によって駆動制御されてディスク１を５倍の線速度一定になるよう回転させる。
【００４４】
まず、操作パネル２４の操作により高速記録開始するが、周知の通り、光ピックアップ６より照射される光ビームをディスク１の信号面に合焦させるフォーカッシングサーボ制御動作を行いながら、スピンドルモータ４を回転させ、ディスク１の回転速度が目標回転速度になると、ディスク１に記録されている記録トラックに光ビームを追従させるトラッキングサーボ制御動作を行い、ディスク１からの信号読み出し動作が開始される。光ピックアップ６はディスク１の信号を読み取り、デコーダ１０内で生成された再生データの内ＣＬＶ制御に必要なフレーム同期信号を同期信号検出器１３で抽出し、ＣＬＶ誤差検出器１５で基準クロック信号の周波数と比較を行い、周波数差が無くなるようにスピンドルモータ４を回転させることにより、再生時の線速度を５倍速一定に制御して時刻Ｔ０から高速記録を開始する。
【００４５】
デコーダ１０で復調されたオーディオデータ信号は一定速度５Ｖでショックプルーフメモリ１１に入力されデータ蓄積が開始されると共に、再生駆動制御装置１８ａは再生開始から出力ピッチ可変器１２を制御することにより、ショックプルーフメモリ１１からの出力データ速度をショックプルーフメモリ１１に入力されるデータ信号速度５Ｖよりも遅い第２の高速速度４Ｖに設定する。従ってショックプルーフメモリ１１に蓄積されるデータ蓄積速度は、式（１）より５Ｖ−４Ｖ＝Ｖの速度でデータ蓄積量が増加する。
【００４６】
データ蓄積開始後、時刻Ｔ１で再生駆動制御装置１８ａがショックプルーフメモリ１１のデータ蓄積量が所定の第１の一定量であるＡ２を越えたことを検出すると、再生駆動制御装置１８ａは出力ピッチ可変器１２を制御して、ショックプルーフメモリ１１からの出力データ速度を、ショックプルーフメモリ１１に入力されるデータ信号速度５Ｖよりも早い第１の高速速度６Ｖに設定する。この時、ショックプルーフメモリ１１に蓄積されるデータ蓄積速度は、式（１）より５Ｖ−６Ｖ＝−Ｖの速度で減少を開始する。
【００４７】
次に、時刻Ｔ２で再生駆動制御装置１８ａがショックプルーフメモリ１１のデータ蓄積量が所定の第２の一定量であるＡ３未満になったことを検出すると、再生駆動制御装置１８ａは出力ピッチ可変器１２を制御して、ショックプルーフメモリ１１からの出力データ速度を、ショックプルーフメモリ１１に入力されるデータ信号速度５Ｖよりも遅い第２の高速速度４Ｖに設定する。この時、ショックプルーフメモリ１１に蓄積されるデータ蓄積速度は、式（１）より５Ｖ−４Ｖ＝Ｖの速度で再びデータ蓄積量が増加を開始する。以降ＣＤ再生装置２２ａは、常時５Ｖの速度でディスク１からのデータ読み出しを継続し、常にトラッキングサーボが働いた状態を継続させながら、ショックプルーフメモリ１１のデータ蓄積量がＡ２とＡ３の間になるように出力データ速度を切り換えていくことになる。
【００４８】
次に時刻Ｔ３において、デスク記録再生装置２２ａに振動等のショックが加わりトラッキングサーボが働かない状態になってディスク１からデータが読み込めなくなると、従来例と同じようにデコーダ１０は再生信号ＳＰＵを元にエラーを検出する。再生駆動制御装置１８ａは、デコーダ１０からのエラー検出通知を受けショックプルーフメモリ１１へのデータ信号の入力を中断すると共に、サーボ制御装置９を制御することで光ピックアップ６をエラー状態が起こった直前の位置にアクセスさせる。この間はショックプルーフメモリ１１への入力データ信号が中断されるため、データ蓄積速度は−４Ｖの速度で急速に減少する事になる。
【００４９】
時刻Ｔ４においてエラー発生直前の位置にアクセス終了後光ピックアップ６から正常なデータ信号を読み込めるようになると、デコーダはエラー検出状態を解除し、再生駆動制御装置１８ａは、エラー状態の起こった位置の信号からショックプル−フメモリ１１へのデータ信号入力を再開する。データ入力を再開する事によりショックプルーフメモリ１１のデータ蓄積量はＶの速度で増加し、以降はエラー状態が起こる前の動作を繰り返す。データ出力端子２１からはデータ速度が６Ｖと４Ｖとを繰り返すデータが出力されるが、記録手段であるＭＤ記録装置２３は、入力されるデータを一時的にＭＤ記録装置２３内部のメモリ（図示しない）に蓄積しながら録音を行うため、出力端子２１から出力されたデータ速度が変化してもＭＤ記録装置２３内部のメモリがデータの速度変化を吸収するため、記録媒体であるＭＤには正常に高速記録が行われることになる。このメモリは再生手段側にショックプルーフメモリ１１の後に設けても良い。記録手段の記録媒体が半導体メモリなどの場合は、このような配慮は不要である。
【００５０】
又、高速記録時には、再生音を出力しないように増幅器２７でアナログ信号をミュートするのでスピーカ２８から異音が出ることはない。
【００５１】
以上のように本発明の実施の形態１によれば、高速記録時に、再生駆動制御装置１８ａはショックプルーフメモリ１１に格納されたデータ蓄積量が、所定の第１の一定量Ａ２を超えると出力データ信号速度を上げ、所定の第２の一定量Ａ３未満になると出力データ速度を下げるように出力ピッチ可変器１２を制御する。従って、トラックジャンプが発生しない通常状態においては、常時ディスクからデータ読み込みを行っておりトラッキングサーボが働いた状態になるので、連続した震動が加わった場合でも音切れや音飛びが発生することはほとんど無くなる。また、大きな震動が加わった場合は、従来と同じように、ディスクからデータ読み込みを行えない間も、ショックプルーフメモリ１１に蓄積されたデータを用いて出力端子２１からデータの出力を継続できるので、トラックジャンプ発生時に於ける音切れや音飛びも防止することが出来る。
【００５２】
（実施の形態２）
図３は本発明の実施の形態２のディスク記録再生装置における高速記録時のディスク再生手段のショックプルーフメモリのデータ蓄積量のイメージ図を示す。横軸は記録経過時間であり縦軸はショックプルーフメモリのデータ蓄積量である。ディスク記録再生装置の再生手段のブロック図とディスク記録再生装置の全体のブロック図は第１の実施の形態と同じ構成であるので省略する。実施の形態１との動作上の違いは、メモリ手段のデータ信号蓄積量の検出を実施の形態１では二つの所定の一定量Ａ２，Ａ３でメモリ手段からの出力データ速度を切り換えていたのを、一つの所定の一定量Ａ４でメモリ手段からの出力データ速度を切り換えるようにしたことである。
【００５３】
図３を元に、コンパクトディスク（ＣＤ）からミニディスク（ＭＤ）への高速記録時の動作を例に説明する。以下の説明ではディスク再生手段２２ａの定速時の再生速度をＶとし、高速記録時のショックプルーフメモリ１１への入力データ速度を５倍速（５Ｖ）、ショックプルーフメモリから出力するデータ速度として第１の高速速度を６倍速（６Ｖ）、第２の高速速度を４倍速（４Ｖ）とする。
【００５４】
時刻Ｔ０から高速記録を開始する。デコーダ１０で復調されたオーディオデータ信号は一定速度５Ｖでショックプルーフメモリ１１に入力されデータ蓄積が開始されると共に、再生駆動制御装置１８ａは再生開始から出力ピッチ可変器１２を制御することにより、ショックプルーフメモリ１１からの出力データ速度は、入力されるデータ信号速度５Ｖよりも遅い第２の高速速度４Ｖに設定する。ショックプルーフメモリ１１に蓄積されるデータ蓄積速度は、式（１）より５Ｖ−４Ｖ＝Ｖの速度でデータ蓄積量が増加する。
【００５５】
データ蓄積開始後、時刻Ｔ５で再生駆動制御装置１８ａがショックプルーフメモリ１１のデータ蓄積量が所定の一定量Ａ４を越えたことを検出すると、再生駆動制御装置１８ａは出力ピッチ可変器１２を制御して、ショックプルーフメモリ１１からの出力データ速度を、ショックプルーフメモリ１１に入力されるデータ信号速度５Ｖよりも早い第１の高速速度６Ｖに設定する。この結果ショックプルーフメモリ１１に蓄積されるデータ蓄積速度は、式（１）より５Ｖ−６Ｖ＝−Ｖの速度でデータ蓄積量が減少を開始する。
【００５６】
次に、時刻Ｔ５をすぎた直後の時刻Ｔ６で再生駆動制御装置１８ａがショックプルーフメモリ１１のデータ蓄積量が所定の一定量であるＡ４未満になったことを検出すると、再生駆動制御装置１８ａは出力ピッチ可変器１２を制御して、ショックプルーフメモリ１１からの出力データ速度を、ショックプルーフメモリに入力されるデータ信号速度５Ｖよりも遅い第２の高速速度４Ｖに設定する。この結果ショックプルーフメモリ１１に蓄積されるデータ蓄積速度は、式（１）より５Ｖ−４Ｖ＝Ｖの速度で再びデータ蓄積量が増加を開始する。以降同じ動作を繰り返す事により、ショックプルーフメモリのデータ蓄積量はほぼ一定量Ａ４の前後になる状態を維持し、それにより常時ディスク１からのデータ読み出しを継続し、常にトラッキングサーボが働いた状態を継続させることになる。
【００５７】
すなわち本実施形態では、実施の形態１の図２における第１の一定量であるＡ２と第２の一定量であるＡ３とを等しい値（＝Ａ４）になるように設定したものである。
【００５８】
次に時刻Ｔ７において、デスク記録再生装置２２ａに振動等のショックが加わりトラッキングサーボが働かない状態になってディスクからデータが読み込めなくなると、実施の形態１と同じようにデコーダ９は再生信号ＳＰＵを元にエラーを検出する。再生駆動制御装置１８ａは、デコーダ９からのエラー検出通知を受け、ショックプルーフメモリ１１へのデータ信号の入力を中断すると共に、サーボ制御装置９を制御することで光ピックアップ６をエラー状態が起こった直前の位置にアクセスさせる。この間はショックプルーフメモリ１１への入力データ信号が中断されるため、データ蓄積速度は−４Ｖの速度で急速に減少する事になる。
【００５９】
時刻Ｔ８においてエラー発生直前の位置にアクセスを終了し、光ピックアップ６から正常なデータ信号を読み込めるようになると、デコーダ９はエラー検出状態を解除し、再生駆動制御装置１８ａは、エラー状態の起こった位置の信号からショックプル−フメモリ１１へのデータ信号入力を再開する。データ入力を再開する事によりショックプルーフメモリ１１のデータ蓄積量は速度Ｖで増加し、以降はエラー状態が起こる前の動作を繰り返す。
【００６０】
以上のように、実施の形態２によれば、高速記録時に再生手段のメモリ蓄積量をほぼ一定の値に維持できるので、所定の一定量をメモリの上限近くに設定すれば、振動等のショックが加わりトラックジャンプやフォーカス外れが起こりディスクからデータが読み込めなくなりエラーの発生した直前の位置に再アクセスする場合、再アクセス終了時のメモリ手段のデータ蓄積量を多くすることが出来る。その為、ディスクからのデータ読み取りを再開する前にショックプルーフメモリの蓄積データが無くなりバッファーアンダーランエラーを起こすということを回避出来る。
【００６１】
また、上記各実施形態によれば、エラーが起こった時を除いてディスクは常に連続的に高速で回転すればいいので、従来のように一時読み取りを中断した直前の位置に再アクセスを繰り返す必要がなく、常にトラッキングサーボが働いた状態に出来る。
【００６２】
また、従来例では再生手段のショックプルーフメモリから出力するデータ速度はディスクから読み込むデータ速度よりも遅くしなければならないが、上記各実施形態ではショックプルーフメモリから出力するデータ速度は、データ蓄積量が所定の一定量に達する前と後とで、おのおの４Ｖと６Ｖで平均すると５Ｖとなり、ディスクから読み込むデータ速度５Ｖと同じになるので、ディスクの回転数が制約されている場合においても、より高速録音化を可能に出来ることになる。
【００６３】
なお、上記各実施形態ではディスク再生手段のディスクとしてコンパクトディスク（ＣＤ）の場合について説明したが、ＣＤ以外の光磁気記録媒体であるＭＤ等のディスクであっても良い。
【００６４】
また、上記実施形態では記録手段としてミニディスク（ＭＤ）の場合について説明したが、ディスクに限定せず、半導体記憶媒体等であっても良い。
【００６５】
更に、上記実施形態で説明に用いた数値等は一例であり、必要に応じて変更して実施できるものである。
【００６６】
【発明の効果】
以上のように本発明のディスク記録再生装置によれば、基本の構成において再生駆動制御手段は、高速記録中にメモリ手段のデータ信号蓄積量が所定の第１の一定量を越えると、出力ピッチ切り換え手段によりメモリ手段から出力するデータ信号速度をメモリ手段に入力されるデータ信号速度よりも早い第１の高速速度に設定し、メモリ手段のデータ信号蓄積量が所定の第１の一定量より少ない所定の第２の一定量未満になると、出力ピッチ切り換え手段によりメモリ手段から出力するデータ信号速度をメモリ手段に入力されるデータ信号速度よりも遅い第２の高速速度に設定するように構成したことにより、高速記録時に、メモリ手段からの出力データ信号速度を変化させることでメモリ蓄積量が常に所定の第１と第２の一定量の間にあるようになり、大きな震動が加わってトラックジャンプが生じない限り、常時ディスクからのデータ読み出しを継続出来、定常時には所定のアドレスに再アクセスするという必要がなく常にトラッキングサーボが働いた状態に出来る。このため連続加震等に対する耐震性が良く、音切れや音飛びを最小限に抑えることが出来るという有利な効果が得られる。
【００６７】
また、基本の構成におけるメモリ手段のデータ信号蓄積量の所定の第１の一定量と所定の第２の一定量とを同じ値とした構成においては、高速記録時にメモリ蓄積量をほぼ一定の値に維持できるので、所定の一定量をメモリの上限近くに設定すれば、振動等によりエラー発生後の再アクセス時のデータ蓄積量を多くすることが出来、メモリ手段のメモリ容量が少なくてもメモリ手段に蓄積されているデータが全て読み出される前にエラー状態を回避しメモリ手段に再びデータの入力を再開する事が出来るので、音の欠落や音飛びが更に発生しにくくなるという有利な効果が得られる。
【００６８】
更に、上記いずれの発明も再生手段のショックプルーフメモリから出力するデータ速度の平均速度がディスクから読み込むデータ速度と同じになるので、ディスクの回転数が制約されている場合においても、より高速記録化が可能になるという有利な効果が得られる。
【００６９】
また第２のメモリ手段を前記再生手段または前記記録手段に備えた構成では、前記第１のメモリ手段から出力するデータ信号速度の変化を吸収することが出来、記録手段がディスク記録である場合、第１のメモリ手段から出力するデータ信号速度の変化にかかわらず記録側のディスクを一定速で駆動することが出来るという有利な効果が得られる。
【図面の簡単な説明】
【図１】本発明の実施の形態１におけるディスク記録再生装置のディスク再生手段のブロック図
【図２】同じくディスク記録再生装置における高速記録時のディスク再生手段のショックプルーフメモリのデータ蓄積量のイメージ図
【図３】本発明の実施の形態２のディスク記録再生装置における高速記録時のディスク再生手段のショックプルーフメモリのデータ蓄積量のイメージ図
【図４】従来のディスク記録再生装置のディスク再生手段のブロック図
【図５】従来のディスク記録再生装置の全体のブロック図
【図６】従来のディスク記録再生装置における高速記録時のディスク再生手段のショックプルーフメモリのデータ蓄積量のイメージ図
【符号の説明】
１  ディスク
４  スピンドルモータ
６  光ピックアップ
７  トラバースモータ
９  サーボ制御装置
１０  デコーダ
１１  ショックプルーフメモリ
１２  出力ピッチ可変器
１３  同期信号検出器
１４  基準クロック発生器
１５  ＣＬＶ誤差検出器
１８ａ  再生駆動制御装置
１９  主制御装置
２２ａ  ＣＤ再生装置
２３  ＭＤ記録再生装置
【図１】
2004280894.tif 000003
【図２】
2004280894.tif 000004
【図３】
2004280894.tif 000005
【図４】
2004280894.tif 000006
【図５】
2004280894.tif 000007
【図６】
2004280894.tif 000008